(57)【要約】【課題】車両用キーボックスへのアクセス制御のためのモバイル資格情報管理システムを提供する。【解決手段】モバイル資格情報管理システムは、処理システム、及び処理システムによって実行されると処理システムに複数のオペレーションを実行させるコンピュータ実行可能命令を有するメモリシステムを含む。当該オペレーションは、割り当てられた時間枠内で資格情報を受信することに応答して車両用キーボックスの解除可能ラッチの開放をトリガするよう動作可能なモバイル機器に資格情報を発行することを含む。当該オペレーションはまた、車両用キーボックスが資格情報を確認したことを示す、車両用キーボックスからの解除可能ラッチの開放インジケータを監視すること、及び車両用キーボックスに割り当てられた車両に対応する車両用キーへのアクセスを提供することを含む。【選択図】図１
2019085869.tif 000002
【特許請求の範囲】
【請求項１】
処理システムと、
前記処理システムによって実行されるとき、前記処理システムに複数のオペレーションを実行させるコンピュータ実行可能命令を含むメモリシステムと、
を備えるモバイル資格情報管理システムであって、前記オペレーションが、
割り当てられた時間枠内で資格情報を受信することに応答して車両用キーボックスの解除可能ラッチの開放をトリガするよう動作可能なモバイル機器に前記資格情報を発行することと、
前記車両用キーボックスが前記資格情報を確認し、前記車両用キーボックスに割り当てられた車両に対応する車両用キーへのアクセスを提供することを示す前記車両用キーボックスからの解除可能ラッチの開放インジケータを監視することと、
前記解除可能ラッチの開放インジケータの受信に応答してユーザシステムに前記車両及び前記モバイル機器のユーザに関する情報を識別する通知を送信することと、
を含む、前記モバイル資格情報管理システム。
【請求項２】
前記資格情報が、前記車両及び前記割り当てられた時間枠を識別するスケジューリング要求に応答して発行される、請求項１に記載のモバイル資格情報管理システム。
【請求項３】
前記オペレーションが、
前記スケジューリング要求に応答する前記資格情報へのアクセスへのリンクを有する確認メッセージを送信することをさらに含む、請求項２に記載のモバイル資格情報管理システム。
【請求項４】
前記オペレーションが、
前記リンクのアクティブ化に応答して前記資格情報を前記モバイル機器に転送することをさらに含む、請求項３に記載のモバイル資格情報管理システム。
【請求項５】
前記オペレーションが、
前記割り当てられた時間枠の後に前記資格情報を使用して前記車両用キーボックスの前記解除可能ラッチを開放するためのアクセスを無効にすることをさらに含む、請求項１に記載のモバイル資格情報管理システム。
【請求項６】
前記オペレーションが、
スケジューリング要求の作成中に前記モバイル機器の前記ユーザに関する前記情報を収集することと、
前記ユーザの識別子を前記資格情報にリンクすることと、
をさらに含む、請求項１に記載のモバイル資格情報管理システム。
【請求項７】
前記オペレーションが、
前記資格情報を使用して前記解除可能ラッチを開放する前に、管理要求に応答して前記資格情報を取り消すことをさらに含む、請求項１に記載のモバイル資格情報管理システム。
【請求項８】
前記車両用キーボックスに割り当てられた車両に対応する車両用キーを保持するように構成されたロック可能なキー保管庫と、
解除可能ラッチを備えたアクセスパネルと、
割り当てられた時間枠内にモバイル機器から資格情報を受信することに応答して前記解除可能ラッチのロック解除を行い、前記資格情報を確認して解除可能ラッチの開放インジケータを出力するように動作可能なコントローラと、
前記資格情報を前記モバイル機器に発行すること、
前記解除可能ラッチの開放インジケータを監視すること、並びに
前記解除可能ラッチの開放インジケータの受信に応答してユーザシステムに前記車両及び前記モバイル機器のユーザに関する情報を識別する通知を送信すること、を行うように動作可能な処理システムを備えたモバイル資格情報管理システムと、
を含む前記車両用キーボックスを備えた、車両用キーアクセス制御システム。
【請求項９】
前記ロック可能なキー保管庫が、前記車両用キーの返却を検出するように適合されたキープレゼンス検出器を含み、且つ、前記コントローラが、前記キープレゼンス検出器に応答してキー返却イベントを前記ユーザシステムに通知するように動作可能である、請求項８に記載の車両用キーアクセス制御システム。
【請求項１０】
前記ロック可能なキー保管庫が無線周波遮断材料で裏打ちされている、請求項８に記載の車両用キーアクセス制御システム。
【請求項１１】
前記車両、及び前記割り当てられた時間枠を識別するスケジューリング要求に応答して前記資格情報が発行され、且つ、前記処理システムが、前記スケジューリング要求に応答して前記資格情報にアクセスするためのリンクを有する確認メッセージを送信し、前記リンクのアクティブ化に応答して前記資格情報を前記モバイル機器に転送するように動作可能である、請求項８に記載の車両用キーアクセス制御システム。
【請求項１２】
前記割り当てられた時間枠の後に前記資格情報の使用が無効化される、請求項８に記載の車両用キーアクセス制御システム。
【請求項１３】
前記処理システムが、スケジューリング要求の生成中に前記モバイル機器の前記ユーザに関する前記情報を収集し、前記ユーザの識別子を前記資格情報にリンクするように動作可能である、請求項８に記載の車両用キーアクセス制御システム。
【請求項１４】
前記資格情報を使用して前記解除可能ラッチを開放する前に、管理要求に応答して前記資格情報が取り消される、請求項８に記載の車両用キーアクセス制御システム。
【請求項１５】
割り当てられた時間枠内での資格情報の受信に応答して、車両用キーボックスの解除可能ラッチの開放をトリガするように動作可能なモバイル機器に対して、モバイル資格情報管理システムによって前記資格情報を発行することと、
前記車両用キーボックスが前記資格情報を確認し、前記車両用キーボックスに割り当てられた車両に対応する車両用キーへのアクセスを提供することを示す前記車両用キーボックスからの解除可能ラッチの開放インジケータを前記モバイル資格情報管理システムによって監視することと、
前記解除可能ラッチの開放インジケータ、前記車両を識別する通知、及び前記モバイル機器のユーザに関する情報の受信に応答して、ユーザシステムへ通知を前記モバイル資格情報管理システムによって送信することと、
を含む、方法。
【請求項１６】
前記資格情報が、前記車両及び前記割り当てられた時間枠を識別するスケジューリング要求に応答して発行され、
前記スケジューリング要求に応答する前記資格情報へのアクセスへのリンクを有する確認メッセージを送信すること
をさらに含む、請求項１５に記載の方法。
【請求項１７】
前記リンクのアクティブ化に応答して前記資格情報を前記モバイル機器に転送すること
をさらに含む、請求項１６に記載の方法。
【請求項１８】
前記割り当てられた時間枠の後に前記資格情報を使用して前記車両用キーボックスの前記解除可能ラッチを開放するためのアクセスを無効にすること
をさらに含む、請求項１５に記載の方法。
【請求項１９】
スケジューリング要求の作成中に前記モバイル機器の前記ユーザに関する前記情報を収集することと、
前記ユーザの識別子を前記資格情報にリンクすることと、
をさらに含む、請求項１５に記載の方法。
【請求項２０】
前記資格情報を使用して前記解除可能ラッチを開放する前に、管理要求に応答して前記資格情報を取り消すこと
をさらに含む、請求項１５に記載の方法。
【発明の詳細な説明】
【技術分野】
【０００１】
本開示は、モバイル機器のアクセスを伴うロックシステムに関し、より詳細には、車両用キーボックスへのアクセス制御のためのモバイル資格情報管理システムに関する。
【背景技術】
【０００２】
伝統的にロックボックス及び類似のデバイスは、ユーザが手動で操作して、独立したロックを解除するキーにアクセスする。このようなロックボックスは、ユーザがキーへのアクセスを得るためにコンビネーションを知ることを要する。残念ながら、このようなロックボックスを使用すると、煩雑なプロセスが発生し、セキュリティが問題になる場面が頻繁に発生する。
【０００３】
自動車販売などの特定の状況において、潜在的な顧客は、営業担当者が物理的に実在しないときに、より接近して点検するため、ロックされた車両の内部へのアクセスを望むことがある。車両はロックボックス内に格納されたキーを有し得るが、ユーザがロックボックスを開く能力を有さないと、車内に入るためにユーザは営業担当者が到着するのを待たなければならない。
【発明の概要】
【課題を解決するための手段】
【０００４】
一実施形態によれば、モバイル資格情報管理システムは、処理システム、及びメモリシステムを含み、メモリシステムは、処理システムによって実行されると処理システムに複数のオペレーションを実行させるコンピュータ実行可能命令を有する。当該オペレーションは、割り当てられた時間枠内で資格情報を受信することに応答して、車両用キーボックスの解除可能ラッチの開放をトリガするように動作可能な資格情報をモバイル機器に発行すること、車両用キーボックスが資格情報を確認し、車両用キーボックスに割り当てられた車両に対応する車両用キーへのアクセスを提供することを示す、車両用キーボックスからの解除可能ラッチの開放インジケータを監視すること、及び解除可能ラッチの開放インジケータの受信に応答してユーザシステムに通知を送信することを含む。当該通知は、車両、及びモバイル機器のユーザに関する情報を識別する。
【０００５】
上記または下記の１つ以上の特徴に加えて、または代替として、さらなる実施形態は、車両及び割り当てられた時間枠を識別するスケジューリング要求に応答して資格情報が発行される場所を含むことができる。
【０００６】
上記または下記の１つ以上の特徴に加えて、または代替として、さらなる実施形態は、スケジューリング要求に応答して資格情報にアクセスするためのリンクを有する確認メッセージを送信することを含むことができる。
【０００７】
上記または下記の１つ以上の特徴に加えて、または代替として、さらなる実施形態は、リンクのアクティブ化に応答して、資格情報をモバイル機器に転送することを含むことができる。
【０００８】
上記または下記の１つ以上の特徴に加えて、または代替として、さらなる実施形態は、割り当てられた時間枠の後に資格情報を使用して車両用キーボックスの解除可能ラッチを開放するためのアクセスを無効にすることを含むことができる。
【０００９】
上記または下記の１つ以上の特徴に加えて、または代替として、さらなる実施形態は、スケジューリング要求の作成中にモバイル機器のユーザに関する情報を収集すること、及びユーザの識別子を資格情報にリンクすることを含むことができる。
【００１０】
上記または下記の１つ以上の特徴に加えて、または代替として、さらなる実施形態は、資格情報を使用して解除可能ラッチを開放する前に、管理要求に応答して資格情報を取り消すことを含むことができる。
【００１１】
別の実施形態によれば、車両用キーアクセス制御システムは、車両用キーボックス及びモバイル資格情報管理システムを含む。車両用キーボックスは、車両用キーボックスに割り当てられた車両に対応する車両用キーを保持するように構成されたロック可能なキー保管庫、解除可能ラッチを備えたアクセスパネル、及び割り当てられた時間枠内にモバイル機器からの資格情報の受信に応答して、解除可能ラッチのロック解除を行い、また資格情報を確認して解除可能ラッチの開放インジケータを出力するように動作可能なコントローラを含む。モバイル資格情報管理システムは、モバイル機器へ資格情報を発行し、解除可能ラッチの開放インジケータを監視し、解除可能ラッチの開放インジケータ、車両を識別する通知、及びモバイル機器のユーザに関する情報の受信に応答して通知をユーザシステムに送信するように動作可能な処理システムを含む。
【００１２】
上記または下記の１つ以上の特徴に加えて、または代替として、さらなる実施形態は、ロック可能なキー保管庫が車両用キーの返却を検出するように適合されたキープレゼンス検出器を含み、コントローラが、キープレゼンス検出器に応答してキー返却イベントのユーザシステムに通知するように動作可能となっていることを含むことができる。
【００１３】
上記または下記の１つ以上の特徴に加えて、または代替として、さらなる実施形態は、ロック可能なキー保管庫が無線周波遮蔽材料で裏打ちされていることを含むことができる。
【００１４】
上記または下記の１つ以上の特徴に加えて、または代替として、さらなる実施形態は、車両及び割り当てられた時間枠を識別するスケジューリング要求に応答して資格情報が発行され、処理システムが、スケジューリング要求に応答して資格情報にアクセスするためのリンクを有する確認メッセージを送信して、リンクのアクティブ化に応答して資格情報をモバイル機器へ転送するように動作可能であることを含むことができる。
【００１５】
上記または下記の１つ以上の特徴に加えて、または代替として、さらなる実施形態は、割り当てられた時間枠の後に資格情報の使用が無効化されることを含むことができる。
【００１６】
上記または下記の１つ以上の特徴に加えて、または代替として、さらなる実施形態は、処理システムが、スケジューリング要求の作成中にモバイル機器のユーザに関する情報を収集し、ユーザの識別子を資格情報にリンクするよう動作可能であることを含むことができる。
【００１７】
上記または下記の１つ以上の特徴に加えて、または代替として、さらなる実施形態は、資格情報を使用して解除可能ラッチを開放する前に、管理要求に応答して資格情報が取り消されることを含むことができる。
【００１８】
別の実施形態によれば、モバイル資格情報管理の方法は、割り当てられた時間枠内での資格情報の受信に応答して、車両用キーボックスの解除可能ラッチの開放をトリガするように動作可能なモバイル機器に対して、モバイル資格情報管理システムにより資格情報を発行することを含む。モバイル資格情報管理システムは、車両用キーボックスが資格情報を確認し、車両用キーボックスに割り当てられた車両に対応する車両用キーへのアクセスを提供することを示す、車両用キーボックスからの解除可能ラッチの開放インジケータを監視する。モバイル資格情報管理システムは、解除可能ラッチの開放インジケータ、車両識別の通知、及びモバイル機器のユーザに関する情報の受信に応答してユーザシステムへ通知を送信する。
【００１９】
本開示の実施形態の技術的効果は、モバイル機器の資格情報を介してロックボックスへのアクセスを制御することを含む。
【００２０】
前述の機能及び要素は、他に明示的に示されない限り、排他的であることなく様々な組み合わせで組み合わせることができる。これらの機能及び要素、並びにオペレーションは、以下の説明及び添付図面に照らしてより明らかになるであろう。しかし、以下の説明及び図面は本質的に例示的であり、非限定的なものであることを意図していることを理解されたい。
【００２１】
以下の説明は、あらゆる場合においても限定するものと考えられるべきではない。添付の図面を参照すると、同様の要素には同じ番号が付けられている。
【図面の簡単な説明】
【００２２】
【図１】本開示の１つの非限定的な例示的実施形態としてのシステムの図である。
【図２】一実施形態による車両用キーボックスの概略図である。
【図３】別の実施形態による車両用キーボックスの概略図である。
【図４】一実施形態によるモバイル機器のユーザインターフェースの図である。
【図５】一実施形態による方法のプロセスフロー図である。
【発明を実施するための形態】
【００２３】
開示された装置及び方法の１つ以上の実施形態の詳細な説明は、図面を参照して例示することを目的として本明細書に示され、限定されるものではない。
【００２４】
図１〜図３を参照すると、車両用キーアクセス制御システム２０は、ユーザによって携帯され得るモバイル機器２４からの資格情報の認証時に車両用キー２２の制御された解除を容易にする。一旦解除されると、車両用キー２２は、車両用キーアクセス制御システム２０から一般に独立することができる車両２５の車両用ロック２６をロック解除するために使用され得る。車両２５は、自動車、トラック、ボート、航空機等のロック可能な室内を有する任意タイプの輸送機関であり得る。一例では、車両用キー２２は、車両用ロック２６の鍵穴形状に適合するように切込みを有する形状化された金属の小片であってもよい。他の例では、車両用キー２２は、車両２５のロック解除及び／または起動／イグニションを可能にするために、車両２５と無線通信するように動作可能な無線周波対応フォブ２２Ａであってもよい。モバイル機器２４の例には、スマートフォン、タブレットコンピュータ、または通常ユーザによって携帯される無線通信機能を有する他のコンピューティングデバイスが含まれ得る。
【００２５】
車両用キーアクセス制御システム２０は、少なくとも１つの車両用キーボックス２８、リモート及び／またはクラウドベースの少なくとも１つのサーバ３０を含むモバイル資格情報管理システム２９、並びにソフトウェアベースで、またモバイル機器２４上にロード可能なアプリケーション３２を含むことができる。車両用キーボックス２８は、ケーシング３６、ロック可能なキー保管庫３８、受信機４０、送信機４２、キープレゼンス検出器４４、及びコントローラ４６を含むことができる。コントローラ４６は、プロセッサ４８（例えば、マイクロプロセッサ）、及びコンピュータ書き込み可能、且つ読み取り可能な電子記憶媒体５０を含むことができる。記憶媒体５０は、アクセスデータまたはログを含む様々な電子データ、及びソフトウェアベースでありプロセッサ４８によって実行可能な資格情報認証アプリケーションまたはモジュール５２を格納することができる。少なくとも１つのサーバ３０は、例えば車両用キーボックス２８に近接した建物または構造物内であるオンサイトに配置され得ると考えられ、理解される。車両用キーボックス２８は、自己完結型であってもよく、車両用キーボックス２８自体の中で必要とされる処理能力を有し、必要とされる資格情報を有し得るモバイル機器２４とだけ通信することができるとさらに考えられる。単一のサーバ３０を有するように描かれているが、モバイル資格情報管理システム２９は、本明細書でさらに説明するように集合的に動作を実行する１つ以上の処理システム６０を含むことができる。
【００２６】
ユーザシステム１０は、モバイル資格情報管理システム２９とインターフェースするよう動作可能であり、ユーザインターフェース１２、プロセッサ１４（例えば、マイクロプロセッサ）、及びコンピュータ書き込み可能、且つ読み取り可能な電子記憶媒体１６を含むことができる。記憶媒体１６は、アプリケーション１８を格納することができ、プロセッサ１４は、アプリケーション１８を実行することができる。アプリケーション１８は、営業担当者または車両２５へのアクセスを制御することに関連する他の人といったユーザが、１つ以上の通信インターフェース１１０を介してモバイル資格情報管理システム２９とインターフェースすることを可能にすることができ、これにはモバイル資格情報管理システム２９へのリクエスト送信１１２、及びモバイル資格情報管理システム２９からのデータ／通知メッセージ１１４を受信することが含まれる。例えば、モバイル資格情報管理システム２９を介して車両用キーボックス２８の態様を構成するセキュリティ権限を有する複数の営業担当者及び／または管理者をサポートするために、ユーザシステム１０の複数のインスタンスが存在することができる。例えば、ユーザシステム１０は、車両用キーボックス２８と車両２５との間の関連付け、またはリンクの確立を制御し、スケジュールされたアクセス予約要求を確認し、車両用キーボックス２８が開かれていることを示すアクセス通知を受信し、資格情報の作成、及び／または資格情報の使用に続いてモバイル機器２４のユーザに関連するユーザ識別情報にアクセスすることができる。
【００２７】
車両用キーボックス２８に関して、ロック可能なキー保管庫３８は、キーコンパートメント５３、アクセスパネル５５、ロック可能または解除可能ラッチ５７、及びハンガーまたは取り付け手段５９を一般に含むことができる。キーコンパートメント５３は、ケーシング３６及びアクセスパネル５５によって画定される境界を含むことができる。車両用キー２２が無線周波対応フォブ２２Ａとして具体化される実施形態では、ロック可能なキー保管庫３８は、アクセスパネル（図３の車両用キーボックス２８Ａに示すように）が閉じられている一方で無線周波対応フォブ２２Ａと車両２５との間の通信を遮断する無線周波遮断材料３９で裏打ちされることができる。無線周波遮断材料３９は、無線周波対応フォブ２２Ａの周りにファラデーケージ／エンクロージャを効果的に確立する無線周波吸収材料または無線周波遮断材料とすることができる。アクセスパネル５５は、解除可能ラッチ５７を介してケーシング３６に解除可能に係合することができる。解除可能ラッチ５７の例は、ラッチの当業者に一般に知られている任意の様々な機械式及び／または磁気デバイスを含むことができる。解除可能ラッチ５７の係合及び係合解除は、一般に、コントローラ４６によって制御されることができる。
【００２８】
いくつかの実施形態では、コントローラ４６は、無線通信インターフェース９８を介してモバイル機器２４から提供された資格情報９６が、割り当てられた時間枠に基づいて現在有効であることを検証するために使用できるクロック４９を含むことができる。例えば、資格情報９６は、資格情報９６が解除可能ラッチ５７を開くために有効なものと考えられる車両用キーボックス２８に特有の識別子、及び有効な時間範囲を含む符号化された値とすることができる。別の方法として、車両用キーボックス２８は、クロック３４を使用して、資格情報９６が割り当てられた時間枠内で使用されていることを認証することができるモバイル資格情報管理システム２９の処理システム６０と通信することができる。
【００２９】
一旦車両用キー２２が取り外されると、車両用キーボックス２８のプロセッサ４８は、閉じられたアクセスパネル５５を再度ラッチするコマンドを出力してもよく、または出力しなくてもよい。車両用キー２２の返却時に、キープレゼンス検出器４４は、車両用キー２２の返却をキー返却イベントとして感知することができ、アクセスパネル５５の閉鎖／再ラッチをもたらし、車両用キー２２を固定する。キープレゼンス検出器４４の例としては、車両用キー２２の重量を感知することが可能な装置、車両用キー２２から発せられる近距離信号を感知することが可能な装置、例えばキーボックス２８内のセンサ、または他のそのような検出装置によって確認され得る磁石などの車両用キー２２に取り付けられた装置を含むことができる。資格情報認証及び資格情報承認のようなイベントは、モバイル機器２４及び／またはモバイル資格情報管理システム２９への１つ以上のメッセージ１００をトリガすることができ、メッセージ１００はさらにユーザシステム１０に流されることができる。
【００３０】
いくつかの実施形態では、車両用キーボックス２８は、オフラインロックアセンブリであることができ、サーバ３０と車両用キーボックス２８との間のすべての通信は、モバイル機器２４を介して行われることができる。車両用キーボックス２８は、近距離無線通信（ＮＦＣ）または双方向Ｂｌｕｅｔｏｏｔｈ通信によってモバイル機器２４とさらに通信することができ、モバイル機器２４によって実行されるより長い距離範囲の無線通信と通信することができる。代替的に、モバイル資格情報管理システム２９の１つ以上のサーバ３０と車両用キーボックス２８との間で直接的に通信を行うことができると考えられ、理解される。
【００３１】
一例では、車両用キーボックス２８は、アプリケーション５２を介してモバイル機器２４と、及び／またはモバイル機器２４を介してモバイル資格情報管理システム２９と通信可能な複数のロックボックスのうち１つであることができる。各車両用キーボックス２８は、車両用キーボックス２８および／または車両２５に関連するキーボックス識別子５４を含むことができる。キーボックス識別子５４は、車両用キーボックス２８に視覚的に表示されてもよく、またはモバイル機器２４によって受信されるために車両用キーボックス２８の送信器４２（例えばビーコン）によって送信されてもよい。
【００３２】
一例では、キーボックス識別子５４は、モバイル機器２４によってスキャンされ、または読み取られ得るバーコード、ＱＲコード、または車両用キーボックス２８に固定される他のコードとしてフォーマットされることができる。別の例では、キーボックス識別子５４は、モバイル機器２４、及び／またはモバイル資格情報管理システム２９に無線で通信することができる。さらに第３の例では、モバイル機器２４は、モバイル機器２４によって適用された地理測位アプリケーション８６の使用を通じて、地理的位置に基づいて車両用キーボックス２８を識別することができる。
【００３３】
一実施形態では、車両用ロック２６、車両用キー２２、及び車両用キーボックス２８は、同一のキーボックス識別子５４に関連付けられ得る。別の実施形態では、車両用キーボックス２８のキーボックス識別子５４は、車両２５及び車両２５と連携する車両用キー２２に一時的に関連付けられることができる。この例では、モバイル資格情報管理システム２９、または車両用キーボックス２８のコントローラ４６は、例えば、車両２５の販売によって在庫から取り除かれるまで、キーボックス識別子５４を車両２５及び車両用キー２２に少なくとも一時的に関連付けるようにプログラムされ得る。
【００３４】
サーバ３０は、無線通信用のトランシーバ５８、処理システム６０（例えば、１つ以上のマイクロプロセッサ）、及びコンピュータ書き込み可能、且つ読み取り可能な電子記憶媒体６２を含むメモリシステムを含むことができる。一実施形態では、サーバ３０は、車両用キーボックス２８のキーボックス識別子５４を、車両用キーボックス２８を利用する車両用ロック２６の特定の場所と相関するように構成され得る。より具体的には、一例では、車両用キーボックス２８は、車両ディーラーの在庫内にある間に一時的に車両２５の窓に固定されてもよい。車両用キー２２は、通常、車両２５のロック、ロック解除、及び始動を行うために使用するキーである。
【００３５】
電子記憶媒体６２は、ソフトウェアベースであってもよく、処理システム６０によって実行可能な任意の様々なモジュールを格納することができる。例えば、当該モジュールは、資格認定モジュール６４、スケジューリングモジュール６６、検証モジュール６８、相関モジュール７０、第三者警告、または管理モジュール７２、アクセス監視モジュール７４、及び他のモジュールを含むことができる。資格認定モジュール６４は、モバイル機器２４に１つ以上の資格情報９６を発行するように構成されてもよい。スケジューリングモジュール６６は、競合する時間枠が異なるユーザが同じ時間に車両２５にアクセスするようにスケジュールされていないことを確認することができる。妥当性検査モジュール６８は、資格情報９６の妥当性を確認することができ、管理モジュール７２による管理要求に応答して資格情報の取消しをサポートすることができる。相関モジュール７０は車両用キーボックス２８のキーボックス識別子５４を車両用キーボックス２８に一時的に割り当てられ得る車両２５に相関するために使用され得る。すなわち、相関モジュール７０は、プログラム可能な相互参照データテーブルを適用することができる。管理モジュール７２は、機能の構成、基礎となるデータへのアクセス、及びユーザシステム１０を介した管理者アクセスのための他のそのような能力を可能にすることができる。アクセス監視モジュール７４は、車両用キー２２が利用されているときのリアルタイム更新を適用することができる。例えば、車両用キーボックス２８を開くために資格情報９６が使用される場合、アクセス監視モジュール６８は、モバイル資格情報管理システム２９に通知することができ、モバイル資格情報管理システム２９は、ユーザシステム１０にモバイル機器２４のユーザに関連した情報と共にアクセスイベントについて通知することができる。アクセス監視モジュール７４はまた、車両用キーボックス２８に対する試みられた無効なアクセスを追跡することができる。任意の数のモジュール６４、６６、６８、７０、７２、７４が、車両用キーボックス２８のコントローラ４６によって、またはモバイル機器２４のアプリケーション３２の一部として記憶され実行され得ることが考えられ、理解される。任意の数のモジュール６４、６６、６８、７０、７２、７４が、共に実行可能アプリケーション（すなわち、コンピュータソフトウェア製品）を構成してもよいことがさらに企図される。
【００３６】
モバイル機器２４は、ユーザインターフェース７６、プロセッサ７８（例えば、マイクロプロセッサ）、コンピュータ書き込み可能、且つ読み取り可能な電子記憶媒体８０、スキャニングデバイスまたはカメラ８２、及びトランシーバ８４を含むことができる。記憶媒体８０は、アプリケーション３２を格納することができ、プロセッサ７８は、アプリケーションを実行することができる。アプリケーション３２は、複数のキーボックスの中から特定の車両用キーボックス２８を識別するように構成することができる。一例では、モバイル機器２４は、モバイル機器２４のカメラ８２を使用してバーコードとしてキーボックス識別子５４を視覚的に読み取るように構成され得る。別の実施形態では、モバイル機器２４はトランシーバ８４を介してワイヤレス信号または狭域通信としてキーボックス識別子５４を受信するように構成され得る。さらに第３の例では、アプリケーション３２は、記憶媒体８０に少なくとも部分的に記憶され、プロセッサ７８によって実行されるモバイル機器２４の地理的位置特定モジュール８６を適用して車両２５の位置を概ね判定することができる。
【００３７】
車両用キーボックス２８のキーボックス識別子５４が狭域通信（例えばＢｌｕｅｔｏｏｔｈ信号）を介してアクセス可能である実施形態では、モバイル機器２４は互換性のあるソフトウェア（すなわちアプリケーション３２）でプログラムされてもよい。一例では、車両用キーボックス２８またはコントローラ４６は、車両用キーボックス識別子５４を送信することができるＢｌｕｅｔｏｏｔｈ機器を含むことができる。トランシーバ（すなわち、受信機４０及び送信機４２）は、Ｂｌｕｅｔｏｏｔｈ（登録商標）通信をサポートするタイプのものであってもよい。さらに、キーボックス識別子５４は、車両用キーボックス２８から継続的にブロードキャストされることができ、モバイル機器２４が近くにあることを車両用キーボックス２８が知るか認識することなく、モバイル機器２４によって受信されることができる。
【００３８】
モバイル機器２４の地理的位置モジュール８６を適用する一実施形態では、地理的位置モジュール８６は、当該技術分野で周知の１つ以上の測位システムまたはプロトコルを使用して地理的位置を示す位置情報を判定するように構成されることができ、いくつかの非限定的な例として、全地球測位システム（ＧＰＳ）、グローバルナビゲーション衛星システム（ＧＬＯＮＡＳＳ）、全球測位衛星システム（ＧＮＳＳ）、ガリレオ、ロングレンジナビゲーション（ＬＯＲＡＮ）、Ｎａｔｉｏｎａｌ  Ｍａｒｉｎｅ  Ｅｌｅｃｔｒｏｎｉｃｓ  Ａｓｓｏｃｉａｔｉｏｎ  （ＮＭＥＡ）、Ｔｒｉｍｂｌｅ  Ｓｔａｎｄａｒｄ  Ｉｎｔｅｒｆａｃｅ  Ｐｒｏｔｏｃｏｌ  （ＴＳＩＰ）、ＤＥＬＯＲＭＥ（登録商標）ＥＡＲＴＨＭＡＴＥ（登録商標）、Ｒｏｃｋｗｅｌｌ  ＰＬＧＲ  Ｐｒｏｔｏｃｏｌ、ｉＢｅａｃｏｎ（登録商標）、及びＳＩＲＦ（登録商標）が挙げられる。地理的位置モジュール８６はまた、当該技術分野で周知のタイプの局所的、地域的、または敷地内システムを含むことができると理解され、いくつかの非限定的な例として、無線ＩＤタグ（ＲＦＩＤ）、赤外線（ＩＲ）、センサネットワーク、Ｗｉ−Ｆｉベースの測位、ウルトラワイドバンド（ＵＷＢ）測位システムが挙げられる。地理的位置モジュール８６は、車両用キーボックス２８のアプリケーション５２と連携して動作することができる。地理的位置モジュール８６は、全地球測位システム（ＧＰＳ）受信機回路、または他の衛星ナビゲーションシステムに関連する回路であってもよい。いずれの場合も、モジュール８６及びアプリケーション５２は、車両用キーボックス２８の既知の配置に対するモバイル機器２４の位置を判定するように機能する。測位情報はまた、当該技術分野で周知のタイプを含むことができることも理解され、いくつかの非限定的な例として、地理的緯度及び経度、ユニバーサル横メルカトル（ＵＴＭ）図法及びユニバーサル極心平射（ＵＰＳ）図法の座標、立体画法座標、測地高、デカルト座標系、並びに敷地アドレスなどが挙げられる。
【００３９】
車両用キーアクセス制御システム２０のオペレーションを、販売可能な各車両２５がそれぞれの車両用キーボックス２８を有し得る車両ディーラーでの適用例を用いて説明する。各車両用キーボックス２８を、例えば販売店の敷地アドレスなどの既知の場所における車両２５の特定の事例に予めプログラムするために相関モジュール７０が使用され得る。各車両２５はまた、駐車スペース識別子などの特定位置へと割り当てられ得る。モバイル機器２４のユーザは、アプリケーション３２を介して車両２５を見てアクセスするよう要求することができる。或いは、資格認定モジュール６４またはスケジューリングモジュール６６を介して初期スケジューリングを実行することができ、スケジューリング要求に応答してアプリケーション３２をモバイル機器２４に提供することができる。次いで、モバイル機器２４が、通信インターフェース９２を介してサーバ３０に要求信号（矢印９０を参照）を送信することができる。次いで、サーバ３０は、ユーザの適切な問い合わせを行い、ユーザの要求及び／または車両２５の利用可能性を確認するために、スケジューリングモジュール６６を適用することができる。一旦確認されると、サーバ３０は、資格認定モジュール６４を適用して、割り当てられた時間枠で解除可能ラッチ５７を開放するように動作可能な資格情報９６を判定し、割り当てることができる。一旦割り当てられると、サーバ３０は、検証モジュール６８を適用することができ、車両２５に関する情報、並びにモバイル機器２４に車両用キーボックス２８との通信、及び操作に必要なコードまたは許可を提供する検証情報を含む信号を出力することができる。一例として、車両２５に関連する追加の詳細情報は、ディーラー店舗の区画上での車両２５の正確な駐車位置などの資格認定の検証が完了するまで、モバイル機器２４によって直接アクセスできないことがある。
【００４０】
モバイル機器２４が車両用キーボックス２８に近接しているとき、モバイル機器２４は、通信インターフェース９８を介して検索キー信号を車両用キーボックス２８に出力することができる。検索キー信号は、サーバ３０によって最初に提供された割り当てられた認証情報を有する資格情報９６を含むことができる。車両用キーボックス２８の認証アプリケーション５２は、ユーザを認証して、次にキー保管庫３８のラッチを解除することができる。
【００４１】
次いで、モバイル機器２４のユーザは、車両用キーボックス２８から車両用キー２２を取り外すことができる。取り外すと、またはキー保管庫３８のラッチを外すと、車両用キーボックス２８が資格情報９６を確認し、車両用キー２２へのアクセスを提供することを示す解除可能ラッチの開放インジケータが車両用キーボックス２８から送信されることができる。サーバ３０は、メッセージ１００の１つとして解除可能ラッチの開放インジケータを受信することができ、それに応答して、車両２５を識別するユーザシステム１０への通知、及びモバイル機器２４のユーザに関する情報を送信することができる。例えば、営業担当者は、ユーザシステム１０を監視することができ、通知に応答した車両の場所にいるモバイル機器２４のユーザの所へ行き、会うことができる。モバイル機器２４のユーザに関する情報は、ユーザの名前、他の閲覧された車両の履歴、閲覧するために将来的にスケジュールされた車両のリスト、及び任意でユーザの写真を含むことができる。モバイル機器２４のユーザに関するさらなる情報は、フォームを事前記入して提供されることができ、クレジットチェック、ドライバ履歴チェック、及びユーザによって合意された他のそのような行動を開始する。
【００４２】
モバイル機器２４のユーザは、営業部員／営業担当者が到着する前に車両用キー２２を車両用ロック２６に適用して車両２５のロックを解除することができる。モバイル機器２４のユーザが車両用キー２２をキー保管庫３８に返却すると、キープレゼンス検出器４４は車両用キー２２の返却を検出することができる。車両用キー２２が返却されると、車両用キーボックス２８のプロセッサ４８は、モバイル機器２４を介してサーバ３０に送信される通知をメッセージ１００に生成することができる。次いで、サーバ３０は、イベントをユーザシステム１０に中継することができる。キー返却の確認は、サーバ３０からメッセージ１０４としてモバイル機器２４に送信されてもよく、その確認はユーザインターフェース７６上に表示することができる。さらに、管理モジュール７２は、車両２５の点検を手配するか、またはモバイル機器２４のユーザとのフォローアップコンタクトをスケジュールするために、ユーザの出発時にサーバ３０によって適用されてもよい。
【００４３】
図４は、モバイル機器２４のユーザインターフェース７６の一例を示し、図１をさらに参照して説明される。モバイル機器２４のユーザが、資格情報９６が割り当てられた時間枠中に車両２５にアクセスすることを要求すると、直接見た所望の車両（車両２５）が特定されるまで複数の車両をスクロールし、複数の車両から検索するためにユーザ入力２０２が使用されることができる。ユーザインターフェース７６は、車両２５の特有な場所などの情報２０６と共に、車両２５に関連付けられた１つ以上の画像２０４を表示することができる。ユーザインターフェース７６はまた、車両２５に関するユーザシステム１０のユーザと話をするための、またはメッセージを送るための連絡先情報２０８を表示することができる。資格情報２１０は、資格情報９６を受信すると表示することができ、資格情報２１０は、割り当てられた時間枠、及び車両用キーボックス２８の発見／アクセスを支援する任意のコードを含むことができる。
【００４４】
図５は、本開示の一実施形態によるモバイル資格情報管理の方法５００のプロセスフローを示す。方法５００は、図１〜５を参照して説明され、図５に示したものの先にある追加のステップを含むことができる。
【００４５】
ブロック５０２では、モバイル資格情報管理システム２９は、割り当てられた時間枠内での資格情報９６の受信に応答して、車両用キーボックス２８の解除可能ラッチ５７の開放をトリガするように動作可能なモバイル機器２４に資格情報９６を発行する。資格情報９６は、車両２５及び割り当てられた時間枠を識別するスケジューリング要求に応答して発行されることができる。確認メッセージは、スケジューリング要求に応答して、資格情報９６にアクセスするためのリンクと共にモバイル機器２４に送信されることができる。リンクは、（例えば、資格情報２１０の一部として）ユーザインターフェース７６上にハイパーリンクとして表示され得る。資格情報９６は、リンクのアクティブ化に応答してモバイル機器２４に転送されることができる。
【００４６】
ブロック５０４では、モバイル資格情報管理システム２９が、車両用キーボックス２８が資格情報９６を確認し、車両用キーボックス２８に割り当てられた車両２５に対応する車両用キー２２へのアクセスを提供することを示す、車両用キーボックス２８からの解除可能ラッチの開放インジケータを監視する。割り当てられた時間枠の間に資格情報９６が使用されない場合、割り当てられた時間枠の後に、資格情報９６を使用した車両用キーボックス２８の解除可能ラッチ５７を開放するアクセスは無効化されることができる。
【００４７】
ブロック５０６では、モバイル資格情報管理システム２９は、解除可能ラッチの開放インジケータの受信に応答して、ユーザシステム１０へ通知を送信し、当該通知は、車両２５及びモバイル機器２４のユーザに関する情報を識別する。モバイル機器２４のユーザに関する情報は、スケジューリング要求、及び資格情報９６にリンクされたユーザの識別子の作成中に、例えば、資格認定モジュール６４によって収集されることができる。必要であれば、資格情報９６を使用して解除可能ラッチ５７を開放する前に（例えば、疑わしい活動の場合には管理モジュール７２によって）管理要求に応答して、資格情報９６を取り消すことができる。
【００４８】
上述したように、実施形態は、プロセッサによって実現されるプロセス形態であってもよく、プロセッサなどのこれらプロセスを実行するデバイスであってもよい。実施形態はまた、ネットワーククラウドストレージ、ＳＤカード、フラッシュドライブ、フロッピーディスク、ＣＤ−ＲＯＭ、ハードドライブ、または任意の他のコンピュータ可読記憶媒体などの有形媒体に組み込まれた命令を含むコンピュータプログラムコードの形態であってもよく、コンピュータプログラムコードがコンピュータにロードされ、コンピュータによって実行されると、コンピュータは、本実施形態を実施するための装置となる。実施形態はまた、コンピュータプログラムコードの形態であることができ、例えば、記憶媒体に格納され、コンピュータにロードされ、及び／またはコンピュータによって実行され、もしくは伝送媒体を介して伝送されコンピュータにロードされ、及び／またはコンピュータによって実行され、もしくは電気配線または電気ケーブル、光ファイバー、もしくは電磁放射などの伝送媒体を介して伝送され、コンピュータプログラムコードがコンピュータにロードされ実行されると、当該コンピュータは、実施形態を実施するための装置となる。汎用マイクロプロセッサに実装される場合、コンピュータプログラムコードセグメントは、特定の論理回路を生成するようにマイクロプロセッサを構成する。
【００４９】
用語「約」は、出願時に利用可能な装置に基づく特定の量の測定に関連する誤差の程度を含むことが意図される。例えば、「約」は、所与の値の±８％または５％または２％の範囲を含むことができる。
【００５０】
本明細書で使用する用語は、特定の実施形態のみを説明するためのものであり、本開示を限定する意図はない。本明細書で使用されるように、単数形「ａ」、「ａｎ」及び「ｔｈｅ」は、文脈がそうでないことを明確に示さない限り、複数形も含むことが意図される。本明細書で使用される場合、用語「含む（ｃｏｍｐｒｉｓｅｓ）」及び／または「含む（ｃｏｍｐｒｉｓｉｎｇ）」は、記載された機能、整数、ステップ、オペレーション、要素、及び／または構成要素の存在を特定するが、１つ以上の他の機能、整数、ステップ、オペレーション、要素、構成要素、及び／またはそれらの群の存在を除外するものでないとさらに理解される。
【００５１】
本開示は、例示的な実施形態を参照して説明されているが、本開示の範囲から逸脱することなく、様々な変更が可能であり、それらの要素を等価物と置き換えることができることは当業者に理解されるであろう。さらに、本開示の本質的な範囲から逸脱することなく、特定の状況または材料を本開示の教示に適合させるために、多くの改変を行うことができる。従って、本開示は、本開示を実施するために企図される最良の形態として開示される特定の実施形態に限定されず、本開示は、特許請求の範囲内に包含されるすべての実施形態を含むことが意図される。
【図１】
2019085869.tif 000003
【図２】
2019085869.tif 000004
【図３】
2019085869.tif 000005
【図４】
2019085869.tif 000006
【図５】
2019085869.tif 000007